(57)【要約】【課題】触点を有さず、鋏部材から突出した部分をできる限り小さくした理美容鋏を提供する。【解決手段】理美容鋏１０は、第一鋏部材２０と、円筒開口部３３を有する第二鋏部材３０と、少なくとも一部が円筒開口部３３内に収容され、第一鋏部材２０と第二鋏部材３０とを回動可能に軸支する軸部材５０と、少なくとも一部が円筒開口部３３内に収容されると共に軸部材５０の外周面に直接または間接的に当接する当接部４１、および、当接部４１に一体的に接続され、当接部４１を可動させる操作部４４を有する押圧部材４０と、を備え、当接部４１と円筒開口部３３の内周面との間には、当接部４１の傾動を可能にする隙間Ｓ１が形成されており、当接部４１の傾動によって軸部材５０が押圧されて傾動され、第一鋏部材２０の刃先を第二鋏部材３０の刃先に接近させる。【選択図】図２
2018079186.tif 000002
【特許請求の範囲】
【請求項１】
刃体部および柄部を有する第一鋏部材と、
刃体部、円筒開口部および柄部を有する第二鋏部材と、
少なくとも一部が前記円筒開口部内に収容され、前記第一鋏部材と前記第二鋏部材とを回動可能に軸支する軸部材と、
少なくとも一部が前記円筒開口部内に収容されると共に前記軸部材の外周面に直接または間接的に当接する当接部、および、前記当接部に一体的に接続され、前記当接部を可動させる操作部を有する押圧部材と、
を備え、
前記当接部と前記円筒開口部の内周面との間には、前記当接部の傾動を可能にする隙間が形成されており、
前記当接部の傾動によって前記軸部材が押圧されて傾動され、前記第一鋏部材の刃先を前記第二鋏部材の刃先に接近させる、
ことを特徴とする理美容鋏。
【請求項２】
前記当接部は前記円筒状開口部の内周面と略平行に延びる円筒状の内周面を有する筒部から成り、前記筒部の内部には前記軸部材が嵌合されており、前記筒部の外周面は、前記円筒開口部の内周面と略平行に延びる直線部と、前記直線部に連続し前記第一鋏部材に向かうにしたがい前記円筒開口部の内周面から次第に離間する傾斜部とを有し、前記筒部は前記直線部において前記軸部材と前記円筒開口部の内周面との間に嵌合され、前記隙間は前記傾斜部と前記円筒開口部の内周面との間に形成されており、
前記操作部は、弾性を有すると共に、前記第二鋏部材の表面と隙間を有して配置されており、
前記操作部を前記第二鋏部材に接近離間させることにより、前記当接部の傾動角度が調節される、
請求項１に記載の理美容鋏。
【請求項３】
前記軸部材は、外輪が前記筒部に嵌合するベアリングと、前記ベアリングの内輪に嵌合し、前記第一鋏部材と前記第二鋏部材とを締結する締結ネジと、を備える、
請求項２に記載の理美容鋏。
【発明の詳細な説明】
【技術分野】
【０００１】
本発明は、理美容鋏に関する。
【背景技術】
【０００２】
多くの理美容鋏は、一対の鋏部材（刃体）同士が接触する触点を有している。触点を有した理美容鋏としては例えば特許文献１に開示された理髪用鋏がある。特許文献１には、指環部１、２を備えた刃体３、４を基部において枢軸５により回動自在に軸着した構成を有しており、枢軸５と指環部１、２との間の基部内面に触点を形成し、鋏開閉操作時の枢軸５を支点とする触点に沿った回動により両刃体の刃先が互いに押付けられるように刃を密着させた理髪用鋏が開示されている（特許文献１の段落０００２および図１など）。触点は、刃体同士が接触する部分であるため使用時に摩擦抵抗が生じ、刃体の回動操作が妨げられる。
【０００３】
一方で、触点を有しない理美容鋏も開発されており、このような理美容鋏は例えば特許文献２に開示されている。特許文献２には、上下刃体１、２の平部１ａ、２ａにおいて、枢軸３を構成している小径軸体３Ａの外周面と短筒体３Ｂの内周面との間に上下ベアリング１５、１６を介装し、上側ベアリング１５の上端面に小径軸体３Ａの大径頭部３ａの下面を当接させた理髪用鋏が開示されている（特許文献２の段落００２２、段落００２３、図４および図５など）。
【先行技術文献】
【特許文献】
【０００４】
【特許文献１】特開２００６−１８７４６８号公報
【特許文献２】特開２００１−２５９２６０号公報
【発明の概要】
【発明が解決しようとする課題】
【０００５】
特許文献２の理髪用鋏では、短筒体３Ｂと弾性安定板６とは別々の部材から構成されている。そして、枢軸３、短筒体３Ｂおよび弾性安定板６が刃体１から大きく突出している。そのため、理髪用鋏を収納袋に収納する際に、刃体からはみ出た部分が収納袋に引っ掛かってしまい、収納しにくいなどの問題がある。
【０００６】
本発明は、触点を有さず、鋏部材から突出した部分をできる限り小さくした理美容鋏を提供することを目的とする。
【課題を解決するための手段】
【０００７】
本発明の理美容鋏は、刃体部および柄部を有する第一鋏部材と、刃体部、円筒開口部および柄部を有する第二鋏部材と、少なくとも一部が前記円筒開口部内に収容され、前記第一鋏部材と前記第二鋏部材とを回動可能に軸支する軸部材と、少なくとも一部が前記円筒開口部内に収容されると共に前記軸部材の外周面に直接または間接的に当接する当接部、および、前記当接部に一体的に接続され、前記当接部を可動させる操作部を有する押圧部材と、を備え、前記当接部と前記円筒開口部の内周面との間には、前記当接部の傾動を可能にする隙間が形成されており、前記当接部の傾動によって前記軸部材が押圧されて傾動され、前記第一鋏部材の刃先を前記第二鋏部材の刃先に接近させる、ことを特徴としている。
【０００８】
本発明の理美容鋏において、前記当接部は前記円筒状開口部の内周面と略平行に延びる円筒状の内周面を有する筒部から成り、前記筒部の内部には前記軸部材が嵌合されており、前記筒部の外周面は、前記円筒開口部の内周面と略平行に延びる直線部と、前記直線部に連続し前記第一鋏部材に向かうにしたがい前記円筒開口部の内周面から次第に離間する傾斜部とを有し、前記筒部は前記直線部において前記軸部材と前記円筒開口部の内周面との間に嵌合され、前記隙間は前記傾斜部と前記円筒開口部の内周面との間に形成されており、前記操作部は、弾性を有すると共に、前記第二鋏部材の表面と隙間を有して配置されており、前記操作部を前記第二鋏部材に接近離間させることにより、前記当接部の傾動角度が調節されることが好ましい。
【０００９】
本発明の理美容鋏において、前記軸部材は、外輪が前記筒部に嵌合するベアリングと、前記ベアリングの内輪に嵌合し、前記第一鋏部材と前記第二鋏部材とを締結する締結ネジと、を備えることが好ましい。
【発明の効果】
【００１０】
本発明の理美容鋏では、押圧部材は、当接部と操作部とが一体的に接続された一つの部品から構成されている。軸部材および当接部はその少なくとも一部が第二鋏部材の円筒開口部内に収容され、軸部材の外周面に直接または間接的に当接する。このように、本発明の理美容鋏では、軸部材および当接部の少なくとも一部が円筒開口部内に収容されているため、第二鋏部材から突出した部分の高さを低くすることができる。
【００１１】
また、本発明の理美容鋏では、円筒開口部の内周面と当接部との間に隙間が形成されている。そのため、当接部が傾動可能となっており、当接部の傾動に伴い、軸部材が当接部に押圧され軸部材も傾動する。これにより、第一鋏部材の柄部側は、第二鋏部材の柄部から離間する。そのため、本発明の理美容鋏では、従来、軸部材と柄部との間の位置に形成されていた触点が形成されず、第一鋏部材と第二鋏部材とを円滑に回動させることができる。また、第一鋏部材の刃体部は第二鋏部材の刃体部に接近し、第一鋏部材の刃先と第二鋏部材の刃先とが接触する。これにより、第一鋏部材の刃先が第二鋏部材の刃先に押し付けられた状態となるため、触点がなくても良好な切れ味を確保することができる。
【００１２】
軸部材の傾動角度を調節することにより、第一鋏部材の傾動角度（すなわち、第二鋏部材の刃先に対する第一鋏部材の刃先の押付力）を調節することができる。
【図面の簡単な説明】
【００１３】
【図１】本発明の理美容鋏の平面図である。
【図２】（ａ）は図１のＩＩａ−ＩＩａ矢視断面図、（ｂ）は（ａ）のＩＩｂ拡大図、（ｃ）は（ｂ）のＩＩｃ拡大図、（ｄ）は（ａ）のＩＩｄ拡大図である
【図３】（ａ）は軸部材が傾動した後のＩＩｂ拡大図であり、（ｂ）は軸部材が傾動した後のＩＩｄ拡大図である。
【発明を実施するための形態】
【００１４】
本発明について図面を参照しながら説明する。なお、以下で説明する実施形態は、いずれも本発明の好ましい一具体例を示すものである。本発明は、以下の実施形態に限定されず、その主旨を逸脱しない範囲で適宜変更可能である。
【００１５】
図１は理美容鋏１０の平面図である。図２（ａ）は図１のＩＩａ−ＩＩａ矢視断面図、（ｂ）は（ａ）のＩＩｂ拡大図、（ｃ）は（ｂ）のＩＩｃ拡大図、（ｄ）は（ａ）のＩＩｄ拡大図である。なお、図２（ａ）から（ｄ）を参照して理美容鋏１０について説明するときは、説明の便宜上、図２（ａ）から（ｄ）の上および下をそれぞれ理美容鋏１０の上および下として説明する。
【００１６】
図１に示すように、理美容鋏１０は、第一鋏部材２０と、第二鋏部材３０と、押圧部材４０と、軸部材５０と、を備える。
【００１７】
図１、図２（ａ）および図２（ｂ）に示すように、第一鋏部材２０は、刃体部２１と柄部２２とを備えている。刃体部２１と柄部２２との間の位置には、中心軸Ｏを有する開口部２３が形成されている。開口部２３の内周面には雌ネジが形成されている。
【００１８】
図１、図２（ａ）および図２（ｂ）に示すように、第二鋏部材３０は、刃体部３１と柄部３２とを備えている。刃体部３１と柄部３２との間の位置には、円筒開口部３３が形成されている。円筒開口部３３の中心軸Ｏ’は、開口部２３の中心軸Ｏと略一致している。円筒開口部３３よりも柄部３２側には、内周面に雌ネジを有する開口部３４が形成されている。
【００１９】
図２（ａ）から（ｃ）に示すように、押圧部材４０は、一部が円筒開口部３３内に収容される筒部４１と、刃体部３１側に延出した鍔部４２と、鍔部４２から下方に延びる脚部４３と、柄部３２側に延出した操作部４４とを備える。押圧部材４０は、筒部４１、鍔部４２、脚部４３および操作部４４が一体的に形成された一つの部品から成る。
【００２０】
筒部４１の中心軸は中心軸Ｏ’と略一致している。筒部４１の内周面は中心軸Ｏ’と略平行に延びる円筒状である。後述するように、筒部４１内には軸部材５０が嵌合されている。筒部４１の外周面は、円筒開口部３３の内周面と略平行に延びる直線部４１１と、直線部４１１の下端と連続し下方に向かうにしたがい円筒開口部３３の内周面から離間するよう中心軸Ｏ’に向けて傾斜する傾斜部４１２とを備えている。筒部４１は、直線部４１１において、円筒開口部３３の内周面と後述するベアリング５１の外輪との間に嵌合されている。傾斜部４１２は、円筒開口部３３の内周面から角度α傾斜している。そして、傾斜部４１２と円筒開口部３３の内周面との間には、下方に向かうにしたがい拡径する隙間Ｓ１が形成されている。
【００２１】
筒部４１は第二鋏部材３０よりも上方に突出している。鍔部４２は筒部４１の上端に一体的に接続されると共に刃体部３１側に延出した板状部材から構成されている。脚部４３は鍔部４２から下方に延び、その下端は第二鋏部材３０上に載置されている。操作部４４は弾性変形可能な板状部材から構成されており、筒部４１の上端に一体的に接続されると共に柄部３２側に延出している。そして、操作部４４は柄部３２側に向かうにしたがい下方に傾斜し、操作部４４の柄部３２側の端部は開口部３４よりも柄部３２側の位置で、第二鋏部材３０上に載置されている。こうして、開口部３４の直上で、かつ、操作部４４と第二鋏部材３０との間には、隙間Ｓ２が形成される。操作部４４には、開口部３４と中心軸を同じくする開口部４５が形成されている。開口部４５には調節ネジ６０が挿入され、調節ネジ６０は開口部３４に螺合されている。
【００２２】
軸部材５０は、第一鋏部材２０と第二鋏部材３０とを回動可能に軸支する部材である。図２（ａ）から（ｃ）に示すように、軸部材５０は、略同径の二つのベアリング５１（５１１、５１２）と、締結ネジ５２とから構成されている。二つのベアリング５１１、５１２は上下に他の部材を介すことなく積層されている。上側のベアリング５１１の上部は円筒開口部３３から上方に突出している。上側のベアリング５１１の外輪上端には、ベアリング５１１の径方向外側に突出した鍔部５１１ａが形成されており、鍔部５１１ａは押圧部材４０上に載置されている。下側のベアリング５１２は円筒開口部３３内に収容されている。二つのベアリング５１の外輪は、押圧部材４０の筒部４１の内周面と嵌合している。締結ネジ５２は二つのベアリング５１の内輪と嵌合しており、締結ネジ５１の先端は、第一鋏部材２０の開口部２３の雌ネジと螺合している。このような構成により、第一鋏部材２０は、ベアリング５１の内輪および締結ネジ５２と共に回動し、一方、第二鋏部材３０は、押圧部材４０およびベアリング５１の外輪と共に回動する。
【００２３】
図２（ｄ）に示すように、中心軸Ｏと中心軸Ｏ’とが略一致している状態（軸部材５０が傾動していない状態）では、第一鋏部材２０の刃先と第二鋏部材３０の刃先との間には隙間が形成されている。
【００２４】
図２および図３を参照しながら、理美容鋏１０の使用方法について説明する。図３（ａ）は第一鋏部材２０、筒部４１および軸部材５０が傾動した後のＩＩｂ拡大図であり、（ｂ）は（ａ）の状態におけるＩＩｄ拡大図である。なお、図３を参照して理美容鋏１０を説明する場合にも、図２と同様に、図３（ａ）および（ｂ）の上および下をそれぞれ理美容鋏１０の上および下として説明する。
【００２５】
調節ネジ６０を締める。調節ネジ６０を締めると操作部４４が第二鋏部材３０に接近する。これに伴い筒部４１は刃体部３１側へ移動しようとするが、筒部４１は直線部４１１において円筒開口部３３の内周面とベアリング５１の外輪との間に嵌合されているため、筒部４１は刃体部３１側へ移動することはできない。一方、筒部４１の傾斜部４１２と円筒開口部３３の内周面との間には隙間Ｓ１が形成されているため、図３（ａ）に示すように、筒部４１は中心軸Ｏ’に対して時計回りに傾動する。なお、図３（ａ）では、筒部４１が時計回りに角度α傾動し、これにより、刃体部３１側の傾斜部４１２が、円筒開口部３３の刃体部３１側の内周面に当接した状態を表している。筒部４１の傾動に伴い、筒部４１内のベアリング５１および締結ネジ５２は筒部４１によって押圧される。そして、ベアリング５１および締結ネジ５２も筒部４１と共に時計回りに傾動する。締結ネジ５２の先端には第一鋏部材２０が螺合されているため、締結ネジ５２が時計回りに傾動すると第一鋏部材２０も時計回りに傾動し、刃体部２１が上方に移動する。これにより、第一鋏部材２０の刃体部２１が第二鋏部材３０の刃体部３１に接近し、図３（ｂ）に示すように、刃体部２１の刃先が刃体部３１の刃先に押し付けられる。一方、第一鋏部材２０の柄部２２は第二鋏部材３０の柄部３２から離間する。
【００２６】
本発明の理美容鋏１０では、押圧部材４０が一つの部品から構成されているため、部品点数を少なくすることができる。また、押圧部材４０のうち、軸部材５０に当接する筒部４１の一部が円筒開口部３３内に収容されるため、第二鋏部材３０から突出した部分の高さを低くすることができる。
【００２７】
また、調節ネジ６０を締め付けることにより、軸部材５０が傾動する。このとき、第一鋏部材２０の柄部２２は第二鋏部材３０の柄部３２から離間するため、第一鋏部材２０と第二鋏部材３０とが接触する触点が形成されなくなる。これにより、第一鋏部材２０と第二鋏部材３０との円滑な回動を実現することができる。一方、軸部材５０の傾動に伴い第一鋏部材２０は、その刃体部２１が第二鋏部材３０の刃体部３１に接近するよう傾動され、第一鋏部材２０の刃先が第二鋏部材３０の刃先に押し付けられる。これにより、触点がなくとも、良好な切れ味を発揮することができる。
【００２８】
締結ネジ５２の傾動角度は、調節ネジ６０の締付量に応じて調節することができる。すなわち、調節ネジ６０の締付量に応じて、第二鋏部材３０の刃先に対する第一鋏部材２０の刃先の押付力を調節することができる。
【００２９】
＜変形例＞
円筒開口部３３の代わりに、第二鋏部材３０に、中心軸Ｏと略一致する中心軸を有する円筒状部分と、円筒状部分と連続し第一鋏部材２０に向かうにしたがい次第に拡径する錐形状部分とを有する開口部を形成してもよい。そして、筒部４１の外周面は、傾斜部４１２を有さず、直線部４１１のみから構成されていてもよい。この場合、筒部４１は直線部４１１において、円筒状部分の内周面とベアリング５１との間に嵌合される。また、隙間Ｓ１は、錐形状部分と直線部４１１との間に形成される。
【符号の説明】
【００３０】
１０          理美容鋏
２０          第一鋏部材
２１          刃体部
２２          柄部
２３          開口部
３０          第二鋏部材
３１          刃体部
３２          柄部
３３          円筒開口部
３４          開口部
４０          押圧部材
４１          筒部（当接部）
４１１        直線部
４１２        傾斜部
４２          鍔部
４３          脚部
４４          操作部
４５          開口部
５０          軸部材
５１          ベアリング
５２          締結ネジ
６０          調節ネジ
Ｓ１          隙間
Ｓ２          隙間
【図１】
2018079186.tif 000003
【図２】
2018079186.tif 000004
【図３】
2018079186.tif 000005